【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
現像剤を収容するための現像剤収容体が着脱可能な複数の着脱部と、潜像を担持するための像担持体と、を有し、
前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり、
前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である画像形成装置と、
前記画像形成装置に対し単色画像形成の実行及びカラー画像形成の実行の少なくともどちらか一方を指示することが可能なドライバを備え、前記画像形成装置と通信可能なコンピュータと、
を有する画像形成システムにおいて、
各着脱部に対する前記現像剤収容体の装着状態に応じて書き換えられる装着情報と、
前記装着情報に基づいて設定される機種情報を有し、
前記画像形成装置は、電源がＯＮされたときの前記機種情報が前記単色画像形成装置を示す情報である場合には、電源がＯＦＦされるまで前記単色画像形成装置として使用され、電源がＯＮされたときの前記機種情報が前記カラー画像形成装置を示す情報である場合には、電源がＯＦＦされるまで前記カラー画像形成装置として使用され、
前記カラー画像形成装置として使用している画像形成装置に対し前記ドライバによって前記単色画像形成の実行が指示された際には、前記画像形成装置は画像を形成し、
前記単色画像形成装置として使用している画像形成装置に対し前記ドライバによって前記カラー画像形成の実行が指示され、カラー画像データが送出された際には、前記画像形成装置は、電源がＯＮされたときの前記機種情報である、前記単色画像形成装置を示す情報、に基づき、当該カラー画像データを消去して画像を形成しない旨を示す制御信号を前記コンピュータに返し、コンピュータは前記制御信号を受信して画像を形成しない旨を示すメッセージを表示することを特徴とする画像形成システム。
【手続補正２】
【補正対象書類名】明細書
【補正対象項目名】０００７
【補正方法】変更
【補正の内容】
【０００７】
主たる本発明は、現像剤を収容するための現像剤収容体が着脱可能な複数の着脱部と、潜像を担持するための像担持体と、を有し、前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり、前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である画像形成装置と、前記画像形成装置に対し単色画像形成の実行及びカラー画像形成の実行の少なくともどちらか一方を指示することが可能なドライバを備え、前記画像形成装置と通信可能なコンピュータと、を有する画像形成システムにおいて、各着脱部に対する前記現像剤収容体の装着状態に応じて書き換えられる装着情報と、前記装着情報に基づいて設定される機種情報を有し、前記画像形成装置は、電源がＯＮされたときの前記機種情報が前記単色画像形成装置を示す情報である場合には、電源がＯＦＦされるまで前記単色画像形成装置として使用され、電源がＯＮされたときの前記機種情報が前記カラー画像形成装置を示す情報である場合には、電源がＯＦＦされるまで前記カラー画像形成装置として使用され、前記カラー画像形成装置として使用している画像形成装置に対し前記ドライバによって前記単色画像形成の実行が指示された際には、前記画像形成装置は画像を形成し、前記単色画像形成装置として使用している画像形成装置に対し前記ドライバによって前記カラー画像形成の実行が指示され、カラー画像データが送出された際には、前記画像形成装置は、電源がＯＮされたときの前記機種情報である、前記単色画像形成装置を示す情報、に基づき、当該カラー画像データを消去して画像を形成しない旨を示す制御信号を前記コンピュータに返し、コンピュータは前記制御信号を受信して画像を形成しない旨を示すメッセージを表示することを特徴とする画像形成システムである。
【手続補正３】
【補正対象書類名】明細書
【補正対象項目名】００１０
【補正方法】変更
【補正の内容】
【００１０】
現像剤を収容するための現像剤収容体が着脱可能な複数の着脱部と、潜像を担持するための像担持体と、を有し、前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり、前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である画像形成装置と、前記画像形成装置に対し単色画像形成の実行及びカラー画像形成の実行の少なくともどちらか一方を指示することが可能なドライバを備え、前記画像形成装置と通信可能なコンピュータと、を有する画像形成システムにおいて、各着脱部に対する前記現像剤収容体の装着状態に応じて書き換えられる装着情報と、前記装着情報に基づいて設定される機種情報を有し、前記画像形成装置は、電源がＯＮされたときの前記機種情報が前記単色画像形成装置を示す情報である場合には、電源がＯＦＦされるまで前記単色画像形成装置として使用され、電源がＯＮされたときの前記機種情報が前記カラー画像形成装置を示す情報である場合には、電源がＯＦＦされるまで前記カラー画像形成装置として使用され、前記カラー画像形成装置として使用している画像形成装置に対し前記ドライバによって前記単色画像形成の実行が指示された際には、前記画像形成装置は画像を形成し、前記単色画像形成装置として使用している画像形成装置に対し前記ドライバによって前記カラー画像形成の実行が指示され、カラー画像データが送出された際には、前記画像形成装置は、電源がＯＮされたときの前記機種情報である、前記単色画像形成装置を示す情報、に基づき、当該カラー画像データを消去して画像を形成しない旨を示す制御信号を前記コンピュータに返し、コンピュータは前記制御信号を受信して画像を形成しない旨を示すメッセージを表示することを特徴とする画像形成システム。
【手続補正４】
【補正対象書類名】明細書
【補正対象項目名】００１８
【補正方法】変更
【補正の内容】
【００１８】
また、現像剤を収容するための現像剤収容体が着脱可能な複数の着脱部と、潜像を担持するための像担持体と、を有し、前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり、前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である画像形成装置と、前記画像形成装置に対し単色画像形成の実行及びカラー画像形成の実行の少なくともどちらか一方を指示することが可能なドライバを備え、前記画像形成装置と通信可能なコンピュータと、を有する画像形成システムにおいて、各着脱部に対する前記現像剤収容体の装着状態に応じて書き換えられる装着情報と、前記装着情報に基づいて設定される機種情報を有し、前記画像形成装置は、電源がＯＮされたときの前記機種情報が前記単色画像形成装置を示す情報である場合には、電源がＯＦＦされるまで前記単色画像形成装置として使用され、電源がＯＮされたときの前記機種情報が前記カラー画像形成装置を示す情報である場合には、電源がＯＦＦされるまで前記カラー画像形成装置として使用され、前記カラー画像形成装置として使用している画像形成装置に対し前記ドライバによって前記単色画像形成の実行が指示された際には、前記画像形成装置は画像を形成し、前記単色画像形成装置として使用している画像形成装置に対し前記ドライバによって前記カラー画像形成の実行が指示され、カラー画像データが送出された際には、前記画像形成装置は、電源がＯＮされたときの前記機種情報である、前記単色画像形成装置を示す情報、に基づき、当該カラー画像データを消去して画像を形成しない旨を示す制御信号を前記コンピュータに返し、コンピュータは前記制御信号を受信して画像を形成しない旨を示すメッセージを表示し、前記機種情報は、前記画像形成装置が、前記カラー画像形成装置として使用されているか、又は、前記単色画像形成装置として使用されているかを示す情報であり、前記単色画像形成装置は、前記複数の着脱部のうちの一の着脱部のみに現像剤収容体が装着された場合に、該現像剤収容体に収容された現像剤により前記像担持体に担持された潜像を現像してモノクロ画像を形成するモノクロ画像形成装置であり、前記ドライバは、前記画像形成装置に対し、カラー画像形成の実行と、単色画像形成の実行と、を指示することが可能であり、前記単色画像形成装置として使用している画像形成装置に対し前記ドライバによって前記カラー画像形成の実行が指示された際には、画像を形成しない旨を報知し、前記コンピュータは、情報を表示するための表示部を有し、前記単色画像形成装置として使用している画像形成装置に対し前記ドライバによって前記カラー画像形成の実行が指示された際には、前記表示部に画像を形成しない旨を表示することを特徴とする画像形成システムも実現可能である。
【手続補正５】
【補正対象書類名】明細書
【補正対象項目名】００１９
【補正方法】変更
【補正の内容】
【００１９】
また、現像剤を収容するための現像剤収容体が着脱可能な複数の着脱部と、潜像を担持するための像担持体と、を有し、前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり、前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である画像形成装置において、各着脱部に対する前記現像剤収容体の装着状態に応じて書き換えられる装着情報と、前記装着情報に基づいて設定される機種情報を有し、前記画像形成装置は、電源がＯＮされたときの前記機種情報が前記単色画像形成装置を示す情報である場合には、電源がＯＦＦされるまで前記単色画像形成装置として使用され、電源がＯＮされたときの前記機種情報が前記カラー画像形成装置を示す情報である場合には、電源がＯＦＦされるまで前記カラー画像形成装置として使用され、前記カラー画像形成装置として使用されている状態で、単色画像形成を実行する指示をコンピュータから受信した際には、画像を形成し、前記単色画像形成装置として使用されている状態で、カラー画像データとカラー画像形成を実行する指示をコンピュータから受信した際には、電源がＯＮされたときの前記機種情報である、前記単色画像形成装置を示す情報、に基づき、前記カラー画像データを消去して画像を形成しない旨を示す制御信号を前記コンピュータに返し、画像を形成しないことを特徴とする画像形成装置。